(57)【要約】【課題】テレビジョン受像機の如き表示装置のステータスなどを、良好に表示させることができるようにする。【解決手段】受信又は入力した映像信号による映像を表示する表示パネル１２と、表示パネル１２の前面の周囲に配置され、表面に透明膜を有するキャビネット１４と、キャビネット１４の透明膜の所定箇所に配置されて、少なくとも文字又は数字を表示可能なステータス通知部１３とを有して、ステータス通知部１３に表示装置１０のステータスなどを表示するようにした。【選択図】図１
2007184772.tif 000002
【特許請求の範囲】
【請求項１】
受信又は入力した映像信号による映像を表示する映像表示部と、
前記映像表示部の前面の周囲に配置され、表面に透明部を有する枠部材と、
前記枠部材の透明部の所定箇所に配置されて、少なくとも文字又は数字を表示可能なメッセージ表示部とを有することを特徴とする
表示装置。
【請求項２】
請求項１記載の表示装置において、
前記メッセージ表示部は、透明電極上に発光素子を配置して構成される表示部で構成したことを特徴とする
表示装置。
【請求項３】
請求項１記載の表示装置において、
現在の日付及び時間を計時する時計部を備え、
前記メッセージ表示部は、前記時計部が計時した現在の日付と、曜日と、時間とのうち、いずれか１つ又は１つ以上の組合せによるメッセージの表示であることを特徴とする
表示装置。
【請求項４】
請求項１記載の表示装置において、
前記メッセージ表示部は、電源オン又は電源オフを表すメッセージを表示することを特徴とする
表示装置。
【請求項５】
請求項１記載の表示装置において、
放送波を受信するチューナを備え、
前記メッセージ表示部は、前記チューナで受信するチャンネル番号を表すメッセージを表示することを特徴とする
表示装置。
【請求項６】
請求項１記載の表示装置において、
前記メッセージ表示部は、当該表示装置の異常を知らせる警告メッセージを表示することを特徴とする
表示装置。
【請求項７】
受信又は入力した映像信号による映像を表示する映像表示処理と、
前記映像表示処理による表示映像の周囲の所定個所で、少なくとも文字又は数字によるメッセージを表示するメッセージ表示処理とを行うと共に、
前記メッセージ表示処理については、前記表示映像の周囲の部材内に埋め込まれた状態で表示することを特徴とする
表示方法。
【発明の詳細な説明】
【技術分野】
【０００１】
本発明は、例えばテレビジョン受像機に適用して好適な表示装置及び方法に関する。
【背景技術】
【０００２】
従来、映像を表示可能なテレビジョン受像機において、ユーザにメッセージを通知する際は、表示した映像に重畳させるようにして選局したチャンネル番号や現在時刻、音声モード等の各種の機器状態を表示パネル上に表示させたり、キャビネットに設けたランプを点灯させたりしていた。図６は、従来のテレビジョン受像機の外部構成例を示す斜視図である。テレビジョン受像機１は、台座を有する四角形状のキャビネット４に液晶ディスプレイからなる表示パネル２をはめこんで構成してある。テレビジョン受像機１には、キャビネット４の上部に主電源オン・オフ，音量調整，チャンネル選局，入出力切換等の操作可能な操作部６を備えてあり、操作部６を直接操作することでテレビジョン受像機１を動作させることも可能である。そして、テレビジョン受像機１は、制御信号を赤外線で無線伝送するリモートコントロール装置１を用いて遠隔制御可能である。リモートコントロール装置７に設けたジョグダイヤル、操作ボタン等の操作部８の操作によって、赤外線信号を発光部９より送信する。
【０００３】
テレビジョン受像機１には、赤外線信号を受光可能な受光部５がキャビネット４の下部に設けてあり、受信した赤外線信号を図示しない内部の制御部で光電変換し、リモートコントロール装置７の操作に応じた各部の処理を行う。そして、表示パネル２の左上方には、現在時刻を表示させ、表示パネル２の右上方には、選局中のチャンネル番号（例えば、「１０」）と、選局時の音声モード（例えば、「ステレオ」）とを背景となる映像に重畳して表示している。キャビネット４の下部には、発光ダイオードを点灯、点滅可能なランプ３ａ〜３ｃを設けてあり、テレビジョン受像機１の機器状態を動作ステータスとしてユーザに通知するステータス通知部３を設けている。
【０００４】
ここで、ランプ３ａ〜３ｃによる動作ステータスの通知例について、図７を参照して説明する。図７は、ランプ３ａ〜３ｃを設けたステータス通知部３を拡大表示した例である。ランプは、それぞれ、
ランプ３ａ：消画／通信／タイマ
ランプ３ｂ：スタンバイ
ランプ３ｃ：電源／録画・予約
を表し、ランプを単独または組み合わせて点灯、点滅させて動作ステータスを表す。
【０００５】
ここで、動作ステータスとランプの対応関係について説明すると、例えば操作部６に設けた図示しない主電源がオフ状態である場合、ランプ３ａ〜３ｃは点灯しない。主電源がオン状態、かつテレビジョン受像機１の電源がオン状態である場合、ランプ３ｃが点灯する。デジタル放送からデータをダウンロードする場合、ランプ３ａが点滅し、ランプ３ｂが点灯する。そして、テレビジョン受像機１に異常が発生した場合は、テレビジョン受像機１自身で内部回路を点検する自己診断機能により、ランプ３ｂを点滅させて、点滅の回数によりテレビジョン受像機１の状態をユーザやサービス担当者に通知する。
【０００６】
このように、ユーザにテレビジョン受像機１の機器状態を知らせるために、１）発光ダイオードの点灯などを利用する、２）表示パネル２の映像領域にメッセージを重畳する等の技術を用いていた。
【０００７】
特許文献１には、ランプまたはランプ電源の異常が起こった場合に、異常表示部に異常情報と処置を表示させる技術についての記載がある。
【特許文献１】特開平１１−１１２９１２号公報（図１）
【発明の開示】
【発明が解決しようとする課題】
【０００８】
ところで、従来、表示パネルに表示する映像に、メッセージとして現在時刻、選局チャンネル等を重畳して表示させるため、映像が見づらくなり、視認性が悪くなっていた。また、重畳表示させたメッセージや画像等は、表示できる情報量が少ない上、情報内容が限定されていた。さらに、表示させたメッセージ等は表示パネルに表示する映像の一部を隠してしまうため、表示品位が良いとは言えなかった。
【０００９】
また、従来のようにステータス通知部３に設けた複数のランプを使って、テレビジョン受像機１の動作ステータスを通知する技術を用いたとしても表示できる情報量少ない上、情報内容が限定されてしまう。また、テレビジョン受像機１自身の自己診断機能を用いて内部回路を診断した結果をランプで点滅表示させても、ユーザが点滅回数を数え間違えることによって、診断結果を誤って認識することがあった。
【００１０】
また、従来の発光ダイオード等のランプを点灯させて動作ステータスをユーザに通知するステータス通知部３には、設置したランプ毎に各国で使用する言語に応じてガイドメッセージが付記してある。例えば、図７のランプ３ａなら「消画／通信／タイマ」と付記してある。このため、キャビネットが世界で共通するデザインであっても、使用する地域に応じてガイドメッセージが異なるキャビネットに交換する作業が必要となり、コスト上昇の要因ともなっていた。
【００１１】
また、従来、ステータス通知部に液晶表示パネルを設けて機器状態を表示するようにした構成のものも存在するが、メインの映像表示パネルとは別に小型の液晶表示パネルを設ける構成とすると、２つの表示パネルが並ぶことになり、表示装置としてデザイン的に好ましくないものになってしまう問題があった。特に、ステータス通知部は補助的に使用されるものであるため、何も表示されない場合や、簡単な数字程度を表示させる使用形態が多く、そのような補助的な表示のために、デザインを犠牲にして別体の表示手段を配置するのは好ましくない問題があった。
【００１２】
本発明はこのような状況に鑑みて成されたものであり、テレビジョン受像機の如き表示装置のステータスなどを、良好に表示させることができるようにすることを目的とする。
【課題を解決するための手段】
【００１３】
本発明は、受信又は入力した映像信号による映像を表示する場合に、表示映像の周囲の所定個所で、少なくとも文字又は数字によるメッセージを表示すると共に、メッセージ表示については、表示映像の周囲の部材内に埋め込まれた状態で表示するようにしたものである。
【００１４】
このようにしたことで、表示映像の周囲の所定個所で、少なくとも文字又は数字によるメッセージを表示すると共に、メッセージ表示については、表示映像の周囲の部材内に埋め込まれた状態で表示することができる。
【発明の効果】
【００１５】
本発明によれば、表示映像の周囲の所定個所で、少なくとも文字又は数字によるメッセージを表示すると共に、メッセージ表示については、表示映像の周囲の部材内に埋め込まれた状態で表示することが出来るようにしたため、テレビジョン受像機のような表示装置のステータスなどを、良好に表示させることができるという効果がある。
【発明を実施するための最良の形態】
【００１６】
以下、本発明の一実施の形態を、図１〜図５を参照して説明する。本実施の形態では、メインの画像を表示させる映像表示部とは別に、有機ＥＬ（Electro Luminescence）を発光させて文字，数字，記号などによるメッセージや画像を表示するステータス通知部（メッセージ通知部）をキャビネットに組み込んだテレビジョン受像機に適用した例としてある。
【００１７】
まず、本例のテレビジョン受像機の構成例について、図１と図２を参照して説明する。図１に示すように、本例のテレビジョン受像機１０は、台座を有する四角形状の枠部材であるキャビネット１４に表示パネル１２をはめ込んで構成してある。また、テレビジョン受像機１０には、キャビネット１４の上部に主電源オン・オフ，音量調整，チャンネル選局，入力切換等の操作可能な操作部１６を備えてあり、操作部１６を直接操作することでテレビジョン受像機１０を動作させることが可能である。一方、テレビジョン受像機１０を遠隔操作するリモートコントロール装置５０に設けた操作ボタン等の操作部５１を操作することによっても、テレビジョン受像機１０を動作させることが可能である。この場合、リモートコントロール装置５０は、生成した制御信号を赤外線信号に変換して発光部５２より送信する。テレビジョン受像機１０には、赤外線信号を受信可能な受光部１５がキャビネット１４の下部に設けてあり、受信した赤外線信号を光電変換し、リモートコントロール装置５０の操作に応じた各部の処理を行う。そして、キャビネット１４の所定個所（本例では下部の右側）には、テレビジョン受像機１０の処理状態を動作ステータスとしてユーザに通知するステータス通知部１３が内蔵させてある。
【００１８】
図２に、ステータス通知部１３を内蔵させた個所のキャビネット１４の構成を断面で示す。本例のキャビネット１４は樹脂成型で構成してあり、キャビネット１４の前面（表示パネル１２で映像が表示される面）側には、透明の合成樹脂等で形成された透明膜１７が表面に全面的に貼り付けてある。そして、キャビネット１４の右下に設けられたステータス通知部１３は、合成樹脂等で形成した透明基板に発光素子として有機ＥＬを配置した表示部材を用いて形成してある。発光素子としての有機ＥＬ素子は、本例の場合、微小なドット状の発光素子をマトリクス状に配置して、文字，数字，図形などの各種画像を表示させることが可能としてある。ドット状の発光素子そのものは、非発光状態では表面側から見えない構成であり、非発光状態（非表示状態）では、ステータス通知部１３の存在が判らないように構成してある。有機ＥＬ発光素子の具体的な構成例については後述する。そして、ステータス通知部１３は、後述する表示駆動部３６の駆動処理によって所定のメッセージやアイコン画像等を表示させることができる。図１のステータス通知部１３には、例えば「ＡＭ  ８：３０」と現在時刻が表示してある。
【００１９】
次に、本例のテレビジョン受像機１０の内部構成例について、図３のブロック図を参照して説明する。テレビジョン受像機１０には、アンテナ２１が接続してあり、アンテナ２１で受けた信号をチューナ２２に供給する。チューナ２２では、希望するチャンネルの放送波を受信する。チューナ２２は、例えば、ＮＴＳＣ（National Television Standards Committee）方式の放送波を受信する。そして、チューナ２２で受信して得た映像・音声信号を、入力機器の切り換え選択を行う選択部２３に供給する。本例のテレビジョン受像機１０は、チューナ２２とは別に２つの入力端子を設けてあり、テレビジョン受像機１０に外部装置から供給される映像・音声信号を第１の入力端子２９及び第２の入力端子３０より取り込むことが可能である。ユーザが視聴する際には、テレビジョン受像機１０の入力を切り換えて、第１の入力端子２９、第２の入力端子３０、チューナ２２の選択を行う。
【００２０】
音声再生については、選択部２３より供給された音声信号を、オーディオ処理部２４で検波・復調し、オーディオアンプ２５で音声信号を増幅して、左右２つのスピーカ２６で放音する。映像再生については、選択部２３より供給された映像信号を、映像処理部２７で検波・復調を行い、表示駆動部２８に映像信号を供給する。表示駆動部２８は、液晶を駆動させる液晶コントローラ等からなり、映像信号に基づいて液晶画素に対する駆動信号を発生し、例えば、アクティブマトリクス方式の液晶表示パネル１２に設けられた液晶画素を個別に駆動することで、カラー映像を表示する。
【００２１】
外部記録装置から再生される映像・音声信号は、それぞれ第１の入力端子２９、第２の入力端子３０を介して、テレビジョン受像機１０の選択部２３に供給される。各部の制御、演算処理を行うマイクロコンピュータで構成してある制御部３１は、例えば書き換え可能なＲＡＭ（Random Access Memory）、やフラッシュＲＯＭ（Read Only Memory）からなるメモリ３３よりデータ、プログラムを読み出してテレビジョン受像機１０の各部の処理を制御したり、プログラム、パラメータ等のメモリ管理を行ったりする。また、メモリ３３には、直前までのユーザ操作等を記憶してある。また、メモリ３３には、製造段階で各地域や言語に応じた機器状態に対するメッセージやアイコン画像等が記憶される。そして、制御部３１によって随時メモリ３３よりメッセージやアイコン画像が読み出され、表示パネル１２の表示内容や、テレビジョン受像機１０の機器状態に応じたメッセージやアイコン画像等がステータス通知部１３に表示される。
【００２２】
フォトトランジスタ又はフォトディテクタ等から構成される受光部１５では、リモートコントロール装置５０から供給される赤外線信号を光電変換し、受信部３２に供給する。受信部３２では、受信した赤外線信号を復調処理して、制御部３１に供給し、所定の処理を行う。制御部３１は、商用電源が供給される電源部３４を制御することによりテレビジョン受像機１０内の各回路への電力供給のオン・オフを制御する。また、現在の日付と時間を計時するタイマ３７を備えており、制御部３１の制御により、予め設定した起動時間になると自動的に電源部３４を電源オンするオンタイマ機能や、予め設定した終了時間になると電源オフするオフタイマ機能を設定可能である。またタイマ３７は、現在日付、曜日、時間等の時間情報を制御部３１に提供する。
【００２３】
本例のテレビジョン受像機１０は、動作ステータスに対応したメッセージ、画像を生成する画像生成部３５で、制御部３１から供給される選局したチャンネル番号，警告メッセージ，オンタイマ・オフタイマの設定状況，オンタイマ設定時の起動時間，オフタイマ設定時の終了時間，タイマ３７から供給された現在時刻等の各種のメッセージや画像を生成する。生成したメッセージや画像は、有機ＥＬ素子を表示駆動させる表示駆動部３６に供給される。そして、ステータス通知部１３で駆動された有機ＥＬ素子が発光し、メッセージや画像が表示される。なお、制御部３１の制御により、ステータス通知部１３の表示または非表示は任意に選択可能である。
【００２４】
ここで、表示駆動部２８と表示駆動部３６とは、ステータス通知部１３の表示処理において連動している。表示パネル１２に表示駆動させる表示駆動部２８による表示内容を、表示駆動部３６が取得し、その表示内容をメッセージや画像としてステータス通知部１３で表示させるようにしている。
【００２５】
制御部３１は、テレビジョン受像機１０に供給する電源である電源部３４のオンまたはオフする動作を制御しており、テレビジョン受像機１０の電源オンまたはオフのいずれかの電源状態を検出してステータス通知部１３に表示する。また、制御部３１は、チューナ２２の動作を制御しており、チューナ２２で選局したチャンネル番号をステータス通知部１３に表示する。また、制御部３１は、入力切換の選択処理を制御しており、テレビジョン受像機１０の入力信号を表示する。また、制御部３１は、タイマ３７から取得したテレビジョン受像機１０の現在の日付，曜日，時間のうち、いずれか１つ又は１つ以上の組合せを表すメッセージや画像としてステータス通知部１３に表示する。
【００２６】
次に、ステータス通知部１３に用いた有機ＥＬ発光素子による表示部の構成例について、図４を参照して説明する。図４は、画像を表示する際の１画素の例を示しており、この図４に示す１画素を縦横にマトリクス状に複数個配置して、画像などを表示できるように構成してある。ＴＦＴトランジスタ４１のゲート電極４１ｇにゲート線４３から正方向の電圧が印加され、オンにされたとき、実線矢印で示されるように、ソース線４２により印加された電圧に応じて、アルファモスシリコンやポリシリコンからなる活性半導体層（チャネル）中を、ソース電極４１ｓからドレイン電極４１ｄ方向に電流が流れる。
【００２７】
ＴＦＴトランジスタ４１のドレイン電極４１ｄには、ＥＬ素子４４のアノード電極４４ａが接続されており、ＥＬ素子４４のカソード電極４４ｃが、対向電極４５に接続してある。ここで、ＴＦＴトランジスタ４１のドレイン電極４１ｄから供給された電流がＥＬ素子４４間を流れたとき、その電流に応じて、電界発光素子であるＥＬ素子４４が発光する。
【００２８】
このようにして発光された光がステータス通知部１３の外部に出射され、画像の１つの画素が表示される。なお、図４においては、説明の便宜上、ＥＬ素子４４から、白抜き矢印で示されるように図の右方向に光が出射されているが、実際には、アノード電極４４ａまたはカソード電極４４ｃのいずれかが透明電極により構成され、その透明電極を透過して、ＥＬ素子４４により発光された光が外部に出射される。そして、発光素子毎にカラーフィルタ等を設けることでカラー画像を表示させることが可能である。
【００２９】
次に、本例のステータス通知部１３で表示するメッセージの表示例について、図５を参照して説明する。図５（ａ）は、日本語表記したステータス通知部１３の表示例である。図５（ｂ）は、英語表記したステータス通知部１３の表示例である。
【００３０】
キャビネット１４の下部に設けたステータス通知部１３は、ユーザの操作に応じて所定時間だけ機器状態、警告メッセージ等を発光表示する。図５（ａ）では、テレビジョン受像機１０の動作ステータスとして、「主電源ＯＮ、オンタイマ設定中」と表示する。また、警告メッセージとして、例えばデジタル放送波から内部ソフトウェア書き換えデータをダウンロード中にダウンロードを中断した場合などに、「ダウンロードが中断されました」という警告メッセージと共にエラーに対応するエラーコードを表示する。また、現在の日付と時刻、音量数値、選局チャンネルについても表示する。また、本例の動作ステータスとして、音量数値と共に音量を表すアイコン画像も表示している。オンタイマ、オフタイマの設定時は、それぞれの設定の有無と共に、図示しないがオンタイマでの起動設定時間、オフタイマでの停止設定時間も表示することも出来る。
【００３１】
図５（ｂ）では、ステータス通知部１３の表示内容を英語表記している。テレビジョン受像機１０の製造段階において、地域ごとに異なる表示内容をメモリ３３に書き込むことでその地域に応じた言語でのメッセージや画像の表示を行うことができる。
【００３２】
このようにして、テレビジョン受像機１０のキャビネット１４に、メッセージを発光表示する有機ＥＬを用いてテレビジョン受像機１０の機器状態等を表示パネル１２の映像に重畳させることなく表示することが可能となった。
【００３３】
以上説明した本実施の形態において、電源部３４のオン・オフ，選局中のチャンネル番号，オンタイマ機能，オフタイマ機能の設定有無，現在時刻等のテレビジョン受像機１０の機器状態を詳細に表示することが可能となった。また、キャビネット１４に設けたステータス通知部１３に直接メッセージを表示させるようにしたため、従来のように表示パネル１２に表示した映像上にメッセージや画像を重畳させることがない。このため、表示パネル１２の表示品位を落とすことなくユーザにとって必要な情報を得られるという効果がある。
【００３４】
また、使用する地域、国に応じた言語でメッセージを表示することが可能となる。このため、言語が異なる地域毎に表示する箇所に異なる部品を用意する必要がなく、製造、販売コストを低減させる効果がある。
【００３５】
また、ユーザの好みで表示する、表示しないを含め表示内容を変更することが可能である。例えば、リモートコントロール装置５０で電源をオンしたら、１０秒間だけステータス通知部１３にメッセージを表示させて、その後はメッセージを消去するようにしてもよい。あるいは、全くメッセージを表示させないように設定することも出来る。また、主電源のオン時は常にメッセージを表示させることも出来る。このように、ユーザの好みに応じてメッセージの表示・非表示を容易に切り換えることができるため、任意のタイミングで必要な情報を得ることが出来るという効果がある。
【００３６】
また、表示に用いた有機ＥＬは、自発光であり、高精細，高輝度，高コントラストであり、多色の高品位なメッセージや画像を表示することが出来る。このため、視認性に優れるという効果がある。また、液晶パネルと異なり、また、表示しない部分の文字などの情報が完全に消すことができ、発光素子自体が透けて見えることがない。ステータス通知部１３の非表示時には、キャビネット１４でステータス通知部１３の存在をほぼ目立たなくすることが出来る。このため、キャビネット１４を含めたテレビジョン受像機１０全体のデザインに影響を与えることがないという効果がある。
【００３７】
また、テレビジョン受像機１０の自己診断機能によって得られた診断結果を具体的に表示することができる。このため、製品サポート時においてもステータス通知部１３に表示させたエラーコードの値や警告メッセージ等を具体的に伝えることができ、警告内容の誤認識の可能性を減少させることが出来、適切な対応をとることが可能となるという効果がある。
【００３８】
なお、メッセージを表示させる際に、メッセージを縦方向、又は横方向にスクロール移動させたりしてもよい。また、映像，音楽，音声等に応じて変動するようなグラフィックインジケータを表示させてもよい。また、アニメーション表示させてもよい。このような表示をおこなったとしても、発光体として用いた有機ＥＬは、消費電力が少ないため、待機中にメッセージを表示させていてもテレビジョン受像機全体に対する消費電力への影響は軽微である。
【００３９】
また、上述した実施の形態では有機ＥＬをステータス通知部１３に用いてステータスを表示するようにしたが、その他の発光素子を用いてステータスを表示するようにしてもよい。より輝度の高い発光素子を用いたとしても上述した実施の形態と同様の機能、効果を得ることが出来る。
【００４０】
また、上述した実施の形態では外部の記録装置による再生映像や音声を、接続したテレビジョン受像機１０により表示、放音するようにしたが、チューナで選局した映像、音声外部の記録装置に供給するようにしてもよい。この場合、テレビジョン受像機から録画予約の設定を行うようにしてもよい。このとき、外部記録装置に対して放送番組の選局チャンネルと録画開始時間と録画終了時間を設定し、メモリに記憶させる。そして、録画予約の有無と、選局チャンネルと、録画開始時間と、録画終了時間と、外部記録装置の名称とのうち、いずれか１つ又は１つ以上の組合せでステータス通知部にメッセージや画像を表示させるようにしてもよい。そして、テレビジョン受像機の電源がオフ状態であっても、録画設定中であることが分かるように表示させてもよい。このように、録画予約中や録画実行中の有無については任意に表示の有無を設定可能とすることでテレビジョン受像機全体のデザインに調和したものとなるという効果がある。
【００４１】
また、上述した実施の形態では入力端子２９，３０にＤＶＤレコーダ、ビデオデッキを接続して画像、音声を入力するようにしたが、その他にもパーソナルコンピュータ装置、アンプ装置を接続することで画像、音声を入力するようにしてもよい。また、インターネット接続してテレビジョン受像機をＷＥＢブラウザとして用いる場合に、接続したサイトからダウンロードした画像、アドレス等の情報をステータス通知部に表示するようにしてもよい。
【００４２】
また、上述した実施の形態で説明した液晶ディスプレイパネルに限らず、リアプロジェクション（背面投射型）テレビジョン受像機、プラズマディスプレイテレビジョン受像機等の様々なテレビジョン受像機のキャビネットに適用することができる。また、上述した実施の形態では、キャビネットの下部にステータス通知部を設けるようにしたが、設置場所はこの箇所に限定されることなく、必要に応じてキャビネットの上部や側面等の任意の場所にステータス通知部を設けることができる。また、メッセージの大きさも任意に変更可能であり、ユーザの使用状況に応じて使い分ければよい。
【図面の簡単な説明】
【００４３】
【図１】本発明の一実施の形態におけるテレビジョン受像機の例を示した斜視図である。
【図２】図１のＩ−Ｉ線に沿った断面図である。
【図３】本発明の一実施の形態におけるテレビジョン受像機の内部構成例を示したブロック図である。
【図４】本発明の一実施の形態における有機ＥＬ発光素子の構成例を示した接続図である。
【図５】本発明の一実施の形態におけるステータス通知部の表示例を示した説明図である
【図６】従来のテレビジョン受像機の例を示した斜視図である。
【図７】従来のテレビジョン受像機のステータス通知部の表示例を示した説明図である。
【符号の説明】
【００４４】
１…テレビジョン受像機、２…表示パネル、３…ステータス通知部、３ａ〜３ｃ…ランプ、４…キャビネット、５…受光部、６…操作部、７…リモートコントロール装置、８…操作部、９…発光部、１０…テレビジョン受像機、１２…表示パネル、１３…ステータス通知部、１４…キャビネット、１５…受光部、１６…操作部、１７…透明膜、２１…アンテナ、２２…チューナ、２３…選択部、２４…オーディオ処理部、２５…オーディオアンプ、２６…スピーカ、２７…映像処理部、２８…表示駆動部、２９…第１の入力端子、３０…第２の入力端子、３１…制御部、３２…受信部、３３…メモリ、３４…電源部、３５…画像生成部、３６…表示駆動部、３７…タイマ、４１…ＴＦＴ、４２…ソース線、４３…ゲート線、４４…ＥＬ素子、４５…対向電極、５０…リモートコントロール装置、５１…操作部、５２…発光部
【図１】
2007184772.tif 000003
【図２】
2007184772.tif 000004
【図３】
2007184772.tif 000005
【図４】
2007184772.tif 000006
【図５】
2007184772.tif 000007
【図６】
2007184772.tif 000008
【図７】
2007184772.tif 000009